(57)【要約】【課題】処理水の全量に紫外線を照射して満遍なく確実な殺菌を行う。【解決手段】長手方向に延びる側壁部２に集水口２ａが設けられるとともに長手方向の一端側には排水口３ａが設けられた樋状のトラフ本体１を備え、トラフ本体１内には集水口２ａ側の集水部１Ａから排水口３ａ側の排水部１Ｂへの処理水のトラフ本体１内での流通を堰き止める堰板壁６が立設され、この堰板壁６を間にしたトラフ本体１の底板部４に、集水部１Ａから流入した処理水による下向流を形成する下向流部７Ａと、この下向流部７Ａと下端部で連通して排水部１Ｂに向かう処理水の上向流を形成する上向流部７Ｂとを備えた迂流回路７が設けられ、この迂流回路７の下向流部７Ａと上向流部７Ｂとのうち少なくとも一方に、紫外線照射部材８が取り付けられている。【選択図】図１
2019005694.tif 000002
【特許請求の範囲】
【請求項１】
長手方向に延びる側壁部に集水口が設けられるとともに上記長手方向の一端側の端壁部には排水口が設けられた樋状のトラフ本体を備え、
上記トラフ本体内には、上記集水口側の集水部から上記排水口側の排水部への処理水の上記トラフ本体内での流通を堰き止める堰板壁が立設されるとともに、
この堰板壁を間にした上記トラフ本体の底板部には、上記集水部から流入した処理水による下向流を形成する下向流部と、この下向流部と下端部で連通して上記排水部に向かう処理水の上向流を形成する上向流部とを備えた迂流回路が設けられており、
この迂流回路の上記下向流部と上記上向流部とのうち少なくとも一方に、紫外線照射部材が取り付けられていることを特徴とする集水トラフ。
【請求項２】
上記紫外線照射部材は管状、または棒状、または長板状であって、その長軸方向または長辺方向を縦にして上記迂流回路の上記下向流部と上記上向流部とのうち少なくとも一方に取り付けられていることを特徴とする請求項１に記載の集水トラフ。
【請求項３】
上記紫外線照射部材は、上記長軸方向または長辺方向の一端部だけに電源接続部を有しており、この一端部を上記トラフ本体内の処理水よりも上方に位置させて取り付けられていることを特徴とする請求項２に記載の集水トラフ。
【請求項４】
上記トラフ本体内には、上記集水口が設けられた側壁部および上記長手方向の他端側の端壁部と間隔をあけるとともに、該長手方向に延びて上記長手方向の一端側の端壁部に接続される仕切り壁が設けられていて、
上記堰板壁は上記仕切り壁に接続されていることを特徴とする請求項１から請求項３のうちいずれか一項に記載の集水トラフ。
【請求項５】
浄水設備における浄水の沈殿池の浄水流出部に設置される請求項１から請求項４のうちいずれか一項に記載の集水トラフであって、
上記迂流回路が上記沈殿池における上記浄水流出部内に配設されることを特徴とする集水トラフ。
【請求項６】
浄水設備における浄水の沈殿池の浄水流出部に設置される請求項１から請求項４のうちいずれか一項に記載の集水トラフであって、
上記迂流回路が上記沈殿池における上記浄水流出部の外に配設されることを特徴とする集水トラフ。
【請求項７】
請求項１から請求項６のうちいずれか一項に記載の集水トラフが浄水の沈殿池における浄水流出部に設置されていることを特徴とする該集水トラフを備えた浄水設備。
【発明の詳細な説明】
【技術分野】
【０００１】
本発明は、浄水場等の浄水設備の沈殿池における浄水流出部に設置される集水トラフ、および該集水トラフを備えた浄水設備に関するものである。
【背景技術】
【０００２】
例えば、浄水場においては、厚生労働省の「クリプトスポリジウム対策指針  健水発第０３３０００５号（平成１９年３月３０日）」に基づき、クリプトスポリジウムを殺菌するために浄水に紫外線を照射する紫外線照射装置を設置する必要がある。このような紫外線照射装置としては、浄水が流通する導水配管に紫外線ランプを浸漬した内照式の照射装置と、処理槽や集水樋（集水トラフ）の上部から紫外線ランプを浸漬する開水路型（空中照射型）の照射装置があり、浄水設備においては主に内照式の照射装置が用いられているが、例えば特許文献１には、Ｕ字型の樋に多数のノッチ（三角堰）を切った集水樋の上部に支持脚を介して浮かせた状態で大気中から紫外線を照射するように紫外線ランプを設けた開水路型の照射装置を備えた水処理装置が記載されている。
【先行技術文献】
【特許文献】
【０００３】
【特許文献１】特開２０００−２９６３９２号公報
【発明の概要】
【発明が解決しようとする課題】
【０００４】
しかしながら、この特許文献１に記載されたような開水路型の照射装置を備えた水処理装置では、大気中で紫外線が減衰してしまうため、より多くの紫外線ランプや出力の大きな紫外線ランプを配設しなければ十分な殺菌を行うことができず、設備コストや消費電力の増加を招くことになる。
【０００５】
一方、紫外線ランプを処理水中に浸漬する浸漬型の照射装置を備えた水処理装置でも、例えば排水口に近い箇所から処理水が流入してショートパスした場合には、処理水の全量に紫外線を照射することができなくなって、クリプトスポリジウムを満遍なく確実に殺菌することが困難となるおそれがある。
【０００６】
本発明は、このような背景の下になされたもので、処理水の全量に紫外線を照射して満遍なく確実な殺菌を行うことが可能な集水トラフ、および該集水トラフを備えた浄水設備を提供することを目的としている。
【課題を解決するための手段】
【０００７】
上記課題を解決して、このような目的を達成するために、本発明の集水トラフは、長手方向に延びる側壁部に集水口が設けられるとともに上記長手方向の一端側の端壁部には排水口が設けられた樋状のトラフ本体を備え、上記トラフ本体内には、上記集水口側の集水部から上記排水口側の排水部への処理水の上記トラフ本体内での流通を堰き止める堰板壁が立設されるとともに、この堰板壁を間にした上記トラフ本体の底板部には、上記集水部から流入した処理水による下向流を形成する下向流部と、この下向流部と下端部で連通して上記排水部に向かう処理水の上向流を形成する上向流部とを備えた迂流回路が設けられており、この迂流回路の上記下向流部と上記上向流部とのうち少なくとも一方に、紫外線照射部材が取り付けられていることを特徴とする。また、本発明の浄水設備は、このような集水トラフが浄水の沈殿池における浄水流出部に設置されていることを特徴とする。
【０００８】
このように構成された集水トラフにおいては、トラフ本体内の集水口側の集水部と排水口側の排水部とが、処理水のトラフ本体内での流通を堰き止める堰板壁によって隔絶されているため、集水口から流入した処理水が未処理のまま排水口から排出されてショートパスすることはない。
【０００９】
さらに、この堰板壁を間にしたトラフ本体の底板部には、集水部から流入した処理水による下向流を形成する下向流部と、この下向流部と下端部で連通して排水部に向かう処理水の上向流を形成する上向流部とを備えた迂流回路が設けられており、処理水はこの迂流回路を経て集水部から排水部に流通して排出される。
【００１０】
そして、この迂流回路の下向流部と上向流部とのうち少なくとも一方には、紫外線照射部材が取り付けられているので、処理水は、これら下向流部と上向流部とのうち少なくとも一方を流れる間に、この紫外線照射部材から照射される紫外線によって殺菌される。このため、少ない本数や小さい出力の紫外線照射部材でも紫外線の減衰を抑えながら処理水の全量に対して満遍なく紫外線を照射することができ、確実な殺菌を促すことが可能となる。
【００１１】
ここで、このような紫外線照射部材として、管状、または棒状、または長板状のものを使用し、その長軸方向または長辺方向を縦にして上記迂流回路の下向流部と上向流部とのうち少なくとも一方に取り付けることにより、処理水が迂流回路の下向流部と上向流部とのうち少なくとも一方を流れる間に多くの紫外線を照射することが可能となり、一層確実な殺菌を促すことができる。
【００１２】
また、このような管状、または棒状、または板状の紫外線照射部材としては、その長軸方向または長辺方向の一端部だけに電源接続部を有するものと両端部に電源接続部を有するものとがあるが、このうち一端部だけに電源接続部を有するものを用いて、この紫外線照射部材を迂流回路の下向流部と上向流部とのうち少なくとも一方に取り付ける際に、この一端部を上向きにして、上記トラフ本体内の処理水よりも上方に位置させて取り付けることにより、この電源接続部の防水を簡略化することができる。
【００１３】
また、上記トラフ本体内に、上記集水口が設けられた側壁部および上記長手方向の他端側の端壁部と間隔をあけるとともに、該長手方向に延びて上記長手方向の一端側の端壁部に接続される仕切り壁を設けて、上記堰板壁を上記仕切り壁に接続することにより、集水口からトラフ本体内に流入した処理水は、トラフ本体の長手方向他端側に一旦流れた後、他端側の端壁部と仕切り壁の間から堰板壁に向かって流れて上記迂流回路に流れる。このため、処理水がショートパスするのを一層確実に防止することができる。
【００１４】
なお、本発明の浄水設備に備えられる集水トラフのように、浄水の沈殿池の浄水流出部に設置される集水トラフの場合には、上記迂流回路は上記沈殿池における上記浄水流出部内に配設されていてもよく、また上記沈殿池の外の排水路等に十分なスペースを確保できる場合などには、この浄水流出部の外に配設されていてもよい。
【発明の効果】
【００１５】
以上説明したように、本発明によれば、少ない本数や小さな出力の紫外線照射部材であってもトラフ本体から排水される処理水の全量に紫外線を照射することができ、消費電力の削減を図りつつ処理水を満遍なく確実に殺菌することが可能となる。
【図面の簡単な説明】
【００１６】
【図１】本発明の第１の実施形態を示す（ａ）平面図、（ｂ）図１（ａ）におけるＡＡ断面図、（ｃ）図１（ａ）におけるＢＢ断面図、（ｄ）図１（ａ）におけるＣＣ断面図である。
【図２】本発明の第１ないし第３の実施形態に用いられる紫外線照射部材とその周りの斜視図である。
【図３】本発明の第２の実施形態を示す（ａ）平面図、（ｂ）図３（ａ）におけるＡＡ断面図、（ｃ）図３（ａ）におけるＢＢ断面図である。
【図４】本発明の第３の実施形態を示す（ａ）平面図、（ｂ）図４（ａ）におけるＡＡ断面図である。
【図５】本発明の第４の実施形態を示す（ａ）平面図、（ｂ）図１（ａ）におけるＡＡ断面図、（ｃ）図１（ａ）におけるＢＢ断面図、（ｄ）図１（ａ）におけるＣＣ断面図である。
【発明を実施するための形態】
【００１７】
図１は、本発明の集水トラフの第１の実施形態を示すものであり、この実施形態の集水トラフは、浄水設備における処理水（浄水）の沈殿池の浄水流出部Ｐに設置されて処理水の水面Ｈに配設され、この処理水を集水して殺菌した上で浄水流出部Ｐの壁部Ｗから排水路Ｑに排出するものであって、平面視に略長方形箱型の樋状をなすトラフ本体１を備えている。また、本発明の第１の実施形態の浄水設備は、この第１の実施形態の集水トラフが浄水の沈殿池における浄水流出部Ｐに設置されたものである。
【００１８】
すなわち、このトラフ本体１は、該トラフ本体１の長手方向（図１（ａ）、（ｄ）において左右方向）に延びて幅方向（図１（ａ）において上下方向、図１（ｂ）、（ｃ）においては左右方向）に互いに対向した一対の略長方形板状の側壁部２と、上記幅方向に平行に延びて上記長手方向に対向し、その幅方向の両端縁が上記側壁部２の長手方向の端縁に垂直に接続される一対の長方形板状の端壁部３Ａ、３Ｂと、これら２つずつの側壁部２および端壁部３Ａ、３Ｂの下端縁に周縁が接続されて上記長手方向に延びる板状の底板部４とを有しており、トラフ本体１の上部は開放されている。
【００１９】
上記一対の側壁部２には、底板部４から一定高さの位置に、上記長手方向に間隔をあけて並ぶ複数の集水口２ａが形成されており、これらの集水口２ａから上記沈殿池の浄水流出部に流出した処理水がトラフ本体１内に流入する。なお、集水口２ａは円形、または三角形や四角形などの多角形の孔、スリット等の他、三角堰、四角堰などの越流式でも構わない。
【００２０】
また、一対の端壁部３Ａ、３Ｂのうち長手方向の一端側（図１（ａ）において右側）の端壁部３Ａには、上記幅方向の中央部に排水口３ａが形成されており、トラフ本体１内に集水された上記処理水は、この排水口３ａから排出される。本実施形態における排水口３ａは、上記一端側の端壁部３Ａの幅方向の中央部全体を方形に除去したように形成されており、すなわちこの一端側の端壁部３Ａは、両側壁部２の一端側の端縁から幅方向内側に延びる部分が残された状態とされている。
【００２１】
さらに、この長手方向一端側の端壁部３Ａにおける排水口３ａの外縁には、本実施形態では一対の長方形板状の仕切り壁５が排水口３ａを間にして、上記底板部４に立設されて接続されるとともに上記一端側の端壁部３Ａにも垂直に接続されて、長手方向他端側（図１（ａ）において左側。）に延びるように設けられている。この仕切り壁５も、本実施形態では底板部４に垂直に立設されており、その底板部４からの高さは側壁部２の高さと略等しくされていて、一対の仕切り壁５は互いに平行に他端側に延びている。
【００２２】
ただし、この仕切り壁５は、長手方向の他端側の端壁部３Ｂには接続されておらず、この他端側の仕切り壁５の端縁は他端側の端壁部３Ｂと間隔をあけている。なお、本実施形態では、一対の仕切り壁５の他端側の端縁と他端側の端壁部３Ｂとの長手方向の間隔は互いに等しい。また、図１（ａ）では、これらの仕切り壁５の長手方向一端側の端縁は、一端側の端壁部３Ａの上述のように方形に除去された排水口３ａの幅方向内側を向く端縁に接続されているが、例えば一対の仕切り壁５とその間の底板部４とを長手方向一端側に突き出すように樋状に延長してもよい。
【００２３】
さらにまた、本実施形態では、これらの仕切り壁５の長手方向略中央部に、堰板壁６が上記長手方向に対向するように立設されていて、この堰板壁６の幅方向の両端縁は、一対の仕切り壁５の互いに対向する側面に接続されている。ここで、本実施形態においては、トラフ本体１内において、この堰板壁６よりも集水口２ａ側の部分が集水部１Ａとされるとともに、堰板壁６よりも排水口３ａ側の部分が排水部１Ｂとされ、トラフ本体１内での集水部１Ａから排水部１Ｂへの処理水の流通は、この堰板壁６によって堰き止められることになる。
【００２４】
さらに、この堰板壁６を間にして底板部４には長方形状の開口部４ａ、４ｂが形成されており、これらの開口部４ａ、４ｂには迂流回路７が連通させられている。この迂流回路７は、本実施形態では図１（ｃ）および図１（ｄ）に示すように開口部４ａ、４ｂに上部が連通して底板部４から下方に延びる水平方向の断面が方形状の箱形のものであり、すなわちそれぞれ底板部４に接続されて、トラフ本体１の長手方向に垂直に対向して下方に延びる一対の端壁部７ａと、幅方向に垂直に対向して下方に延びる一対の側壁部７ｂとを備え、これら端壁部７ａと側壁部７ｂの下端は水平な底板部７ｃに接続されて封止されている。なお、この迂流回路７は、本実施形態では図１（ａ）に示すように浄水設備の沈殿池における浄水流出部Ｐの壁部Ｗよりも内側の浄水流出部Ｐ内に配設されて処理水中に浸漬されている。
【００２５】
また、一対の側壁部７ｂには、トラフ本体１の堰板壁６が下方に延長されるようにしてトラフ本体１の長手方向に垂直な仕切り壁７ｄが底板部７ｃと間隔をあけて接続されている。従って、トラフ本体１内の集水部１Ａに集水された処理水は、底板部４の長手方向他端側の開口部４ａから下向流をなして迂流回路７の仕切り壁７ｄの長手方向他端側の部分に流入し、この仕切り壁７ｄと底板部７ｃとの間を通って仕切り壁７ｄの長手方向一端側に流れ込み、さらにこの仕切り壁７ｄの長手方向一端側において上向流をなしてトラフ本体１の底板部４の長手方向一端側の開口部４ｂから排水部１Ｂに流入して排水口３ａから排水される。
【００２６】
すなわち、本実施形態では、迂流回路７における仕切り壁７ｄの長手方向他端側の部分が下向流部７Ａとされるとともに、仕切り壁７ｄの長手方向一端側が下端部で下向流部７Ａと連通する上向流部７Ｂとされる。そして、この迂流回路７の下向流部７Ａと上向流部７Ｂとのうち少なくとも一方には、紫外線照射部材８が取り付けられている。本実施形態では、図１（ｄ）に示すように、迂流回路７の上向流部７Ｂだけに紫外線照射部材８が挿入されて取り付けられ、処理水中に浸漬されている。
【００２７】
この紫外線照射部材８は、本実施形態では図２に示すように、蛍光管形の管状または棒状の照射部材本体８ａと、この照射部材本体８ａの下端部と外周部を覆う石英ガラス等からなる有底円筒状の保護管８ｂとを備えており、保護管８ｂは堰板壁６から水平にトラフ本体１の長手方向一端側に延びる平板状の保護管ブラケット６ａに、また照射部材本体８ａはこの保護管ブラケット６ａの上方で同じく水平に長手方向一端側に延びる平板状の照射部材ブラケット６ｂに支持されて、それぞれの長軸方向を縦にして迂流回路７の上向流部７Ｂに挿入されている。これら保護管ブラケット６ａおよび照射部材ブラケット６ｂは、図１（ｄ）に示すように、トラフ本体１内に保持される処理水の水面よりも上方に配置される。
【００２８】
また、この紫外線照射部材８の照射部材本体８ａは、長軸方向の一端部だけに電源接続部８ｃを有するものであって、この一端部の電源接続部８ｃを照射部材ブラケット６ｂの上方に位置させて取り付けられており、従って照射部材本体８ａの電源接続部８ｃは、トラフ本体１内に保持される処理水の水面より上方に配置される。本実施形態では、このような紫外線照射部材８が上向流部７Ｂに複数本、トラフ本体１の幅方向に並列に配設されている。なお、紫外線照射部材８としては低圧照射部材、中圧照射部材、あるいはＵＶ−ＬＥＤ等が使用可能であり、また板状（長板状）のものを、その長辺方向を縦にして迂流回路７に取り付けてもよい。
【００２９】
このように構成された集水トラフは、上述した本発明の一実施形態の浄水設備における浄水の沈殿池の浄水流出部に、この沈殿池の水位Ｈが集水口２ａと側壁部２の上端縁との間に位置するように浸漬されて設置される。１日当たりの浄水処理量が２００００ｍ３程度の浄水設備において、トラフ本体１の幅が０．３ｍ〜０．４ｍ、高さが０．３５ｍ〜０．４５ｍ、長さが２．５ｍ〜５．０ｍの集水トラフであれば、１基当たりの処理水流量は１日当たり１５００ｍ３〜２０００ｍ３程度であり、紫外線照射部材８として紫外線照射量がクリプトスポリジウムを不活性化する１０ｍＪ／ｃｍ２以上の低圧照射部材を４本〜６本を備えた１２基〜１６基程度の複数の集水トラフを１つの浄水設備に設置すればよい。また、例えば特許第５７５２６３６号公報に記載されているようにトラフ本体１内の処理水に次亜塩素酸塩を添加して紫外線を照射することにより促進酸化を行ってもよい。
【００３０】
こうして浄水設備の浄水沈殿池における浄水流出部等に設置された上記構成の集水トラフにおいて、浄水等の処理水は、図１（ａ）〜（ｃ）に破線で示すようにトラフ本体１の側壁部２に設けられた集水口２ａからトラフ本体１内の集水部１Ａに流入し、仕切り壁５が設けられた部分に流入した処理水は、一旦トラフ本体１内を長手方向他端側に向かった後に一対の仕切り壁５の間に流れ込む。また、仕切り壁５が設けられていない部分に流入した処理水は、そのまま長手方向一端側に向かってやはり一対の仕切り壁５の間に流れ込む。
【００３１】
そして、このように一対の仕切り壁５の間に長手方向他端側から流れ込んだ処理水は、底板部４の開口部４ａから迂流回路７の下向流部７Ａに流れ込んで下向流を形成した後、下端部から上向流部７Ｂに流れ込んで上向流を形成しつつ開口部４ｂから排水部１Ｂに排水され、このとき紫外線照射部材８から紫外線が照射されて殺菌される。こうして迂流回路７において殺菌された処理水は、排水部１Ｂの排水口３ａから浄水流出部Ｐの外の排水路Ｑに排出される。
【００３２】
このように、上記構成の集水トラフおよび該集水トラフを備えた浄水設備では、この集水トラフにおける迂流回路７において、下向流部７Ａから上向流部７Ｂに処理水が迂流する際に、この迂流回路７の下向流部７Ａと上向流部７Ｂとのうち少なくとも一方（本実施形態では上向流部７Ｂ）に取り付けられた紫外線照射部材８によって処理水は殺菌処理される。
【００３３】
すなわち、迂流回路７に浸漬されて挿入された紫外線照射部材８によって殺菌を行うので、紫外線の減衰を抑えることができるとともに、迂流回路７を通過する処理水の全量に満遍なく紫外線を照射して確実な殺菌を行うことができる。例えば、開水路型（空中照射型）の照射部材では低圧照射部材が６本〜８本必要であったのに対して１／２〜２／３程度の本数で済み、紫外線照射部材８の１本当たりの照射出力も小さくて済むため、消費電力の削減を図ることもできる。
【００３４】
また、本実施形態では、このような紫外線照射部材８として、管状または棒状、あるいは長板状の紫外線照射部材８がその長軸方向または長辺方向を縦にして迂流回路７の下向流部７Ａと上向流部７Ｂとのうち少なくとも一方に取り付けられている。このため、処理水は、この長軸方向または長辺方向に沿って流れることになって、この間に多くの紫外線を処理水に一層満遍なく照射することが可能となり、さらに確実な殺菌を促すことができる。
【００３５】
しかも、本実施形態では、このような紫外線照射部材８の長軸方向または長辺方向の一端部だけに電源接続部８ｃを有する紫外線照射部材８が用いられており、このような紫外線照射部材８が、この一端部を上向きにしてトラフ本体１内の処理水よりも上方に位置させ、取り付けられている。このため、この電源接続部８ｃの防水構造も、耐圧密閉構造や防水構造として処理水と隔離、密閉する必要は無く、例えば本実施形態のように紫外線照射部材８を支持する照射部材ブラケット６ｂを水平な板状として処理水の飛沫が電源接続部８ｃにかからない程度の簡単な構造とするだけでよくなって、構造の簡略化を図ることができる。
【００３６】
さらに、本実施形態では、この紫外線照射部材８が処理水に浸漬される照射部材本体８ａの下端部と外周部が、石英ガラス等の有底円筒状の保護管８ｂによって覆われており、処理水中に異物が万一混入した場合でも、照射部材本体８ａが損傷するのを避けることが可能となる。
【００３７】
また、この保護管８ｂは、照射部材ブラケット６ｂと同じく水平な板状の保護管ブラケット６ａによって支持されており、この保護管ブラケット６ａの上方に照射部材本体８ａの一端部の電源接続部８ｃが照射部材ブラケット６ｂによって支持されているので、電源接続部８ｃへの処理水の飛沫の付着を照射部材ブラケット６ｂによっても妨げてさらに確実に防止することができる。
【００３８】
なお、このように保護管８ｂによって紫外線照射部材８の照射部材本体８ａを覆った場合には、この保護管８ｂの表面に付着するスケールを除去しなければならない。このようなスケールの除去には、例えば機械的に駆動されるブラシ等によって保護管８ｂの表面を洗浄する機械駆動式洗浄用ワイパーを用いてもよい。また、保護管８ｂに超音波振動を与えることによってスケールを剥離する超音波振動洗浄装置を用いることによっても、簡易な構造でスケールの付着を防止することができるとともに、メンテナンスも簡略化することが可能となる。
【００３９】
また、本実施形態では、トラフ本体１内に、集水口２ａが設けられた側壁部２および長手方向他端側の端壁部３Ｂと間隔をあけるとともに、トラフ本体１の長手方向に延びて長手方向一端側の排水口３ａが設けられた端壁部３Ａに接続される仕切り壁５が設けられ、この仕切り壁５に上記堰板壁６が接続されている。このため、集水口２ａから仕切り壁５が設けられた部分に流入した処理水は、上述のように一旦トラフ本体１内を長手方向他端側に向かった後に一対の仕切り壁５の間に流れ込んでから迂流回路７に流れ、紫外線照射部材８によって殺菌された後に排水口３ａから排出される。
【００４０】
すなわち、集水口２ａからトラフ本体１内の集水部１Ａに集水された処理水が、紫外線照射部材８による殺菌を受けることなく排水部１Ｂにショートパスして排水されてしまうのを一層確実に防止することができる。従って、本実施形態の集水トラフおよび該集水トラフを備えた浄水設備によれば、さらに確実に集水された処理水の全量に満遍なく紫外線を照射して殺菌を行うことが可能となる。
【００４１】
ただし、この第１の実施形態では、このように集水口２ａが設けられた側壁部２および長手方向他端側の端壁部３Ｂと間隔をあけるとともに、トラフ本体１の長手方向に延びて長手方向一端側の排水口３ａが設けられた端壁部３Ａに接続される仕切り壁５をトラフ本体１内に設けて、この仕切り壁５に堰板壁６を接続しているが、例えば図３に示す第２の実施形態や図４に示す第３の実施形態のように、このような仕切り壁５を備えることのない集水トラフおよび浄水設備に本発明を適用するようにしてもよい。なお、これら図３および図に示す第２、第３の実施形態において、図１に示した第１の実施形態と共通する部分には同一の符号を配してある。また、紫外線照射部材８の構成は図２に示したものと同様である。
【００４２】
このうち、図３に示す第２の実施形態では、堰板壁６がトラフ本体１内において上記長手方向の一端側寄りで一対の側壁部２に直接接続されて底板部４に立設されている。さらに、側壁部２の集水口２ａは、この堰板壁６よりもトラフ本体１の長手方向の他端側だけに開口していて、堰板壁６よりも長手方向他端側のトラフ本体１内が集水部１Ａとされるとともに、長手方向一端側の端壁部３Ａには排水口３ａが開口しており、堰板壁６よりも長手方向他端側が排水部１Ｂとされる。
【００４３】
また、この堰板壁６を間にして底板部４には開口部４ａ、４ｂが開口していて、長手方向他端側の開口部４ａには下向流部７Ａが、長手方向一端側の開口部４ｂには下端部で下向流部７Ａと連通する上向流部７Ｂが接続されて迂流回路７が形成されており、この迂流回路７の下向流部７Ａと上向流部７Ｂとのうち少なくとも一方に紫外線照射部材８が取り付けられている。なお、本実施形態では、図３（ｃ）に示すように紫外線照射部材８は迂流回路７の下向流部７Ａと上向流部７Ｂとの双方に長軸方向または長辺方向を縦にして挿入されている。また、この第２の実施形態でも、第１の実施形態と同様に迂流回路７は浄水設備の沈殿池における浄水流出部Ｐ内に配設されて処理水中に浸漬されている。
【００４４】
このような集水トラフおよび該集水トラフを備えた浄水設備において、浄水流出部Ｐから集水口２ａを介してトラフ本体１内の集水部１Ａに流入した処理水は、この集水口２ａから長手方向他端側に流れて堰板壁６により堰き止められ、底板部４の長手方向他端側の開口部４ａから迂流回路７の下向流部７Ａに流れ込む。そして、本実施形態では、処理水は、この迂流回路７の下向流部７Ａと上向流部７Ｂに挿入された紫外線照射部材８によって殺菌された後、長手方向一端側の開口部４ｂから排水部１Ｂに流れて排水口３ａから排水路Ｑに排水される。
【００４５】
従って、このような第２の実施形態においても、処理水をショートパスさせることなく全量を満遍なく殺菌することができる。また、本実施形態では、紫外線照射部材８が迂流回路７の下向流部７Ａと上向流部７Ｂとの双方に挿入されて取り付けられているので、同じ処理水量であれば第１の実施形態よりもさらに小さい出力の紫外線照射部材８や短い紫外線照射部材８を用いることができ、一層の消費電力の削減や迂流回路７のコンパクト化を図ることが可能となる。
【００４６】
ところで、この第２の実施形態や、上記第１の実施形態では、迂流回路７が浄水設備の沈殿池における浄水流出部Ｐ内に配設されて処理水中に浸漬されていたが、図４に示す上記第３の実施形態のように、浄水流出部Ｐに壁部Ｗを介して隣接する排水路Ｑに十分なスペースを確保できる場合などには、迂流回路７は浄水流出部Ｐの外に配設されていてもよい。
【００４７】
すなわち、この第３の実施形態においては、トラフ本体１の長手方向一端側の端壁部３Ａの排水口３ａがあった位置に、長手方向から見て上方に開口するコ字形の樋状部１Ｃが接続されて浄水流出部Ｐの壁部Ｗから排水路Ｑの上部に突出し、この樋状部１Ｃの一端側が排水口３ａとされており、この樋状部１Ｃにおけるトラフ本体１の底板部４に堰板壁６が立設されるとともに、開口部４ａ、４ｂが形成されて迂流回路７が設けられている。従って、本実施形態では第１、第２の実施形態のように迂流回路７が処理水中に浸漬されることはない。
【００４８】
このような第３の実施形態においても、第１、第２の実施形態と同様に小さい出力や少ない本数の紫外線照射部材８によって処理水の全量を満遍なく殺菌することが可能となる。また、この第３の実施形態では、迂流回路７が浄水流出部Ｐの処理水中に浸漬されていないので、迂流回路７や紫外線照射部材８のメンテナンスも比較的容易に行うことができるという利点も得られる。
【００４９】
次に、図５は、本発明の第４の実施形態を示すものである。この第４の実施形態において、トラフ本体１は第１の実施形態と同様の構成とされており、すなわち、この第４の実施形態の集水トラフは、長手方向に延びる側壁部２に集水口２ａが設けられるとともに上記長手方向の一端側の端壁部３Ａには排水口３ａが設けられた樋状のトラフ本体１を備え、上記トラフ本体１内には、上記長手方向の他端側の端壁部３Ｂと間隔をあけるとともに該長手方向に延びて上記長手方向の一端側の端壁部３Ａに接続され、このトラフ本体１内を上記集水口２ａに連通する集水部１Ａと上記排水口３ａに連通する排水部１Ｂに仕切る仕切り壁５が設けられており、上記トラフ本体１内には、該トラフ本体１内に導入された処理水内に浸漬されて紫外線を照射する紫外線照射部材８が配設されていることを特徴とする集水トラフである。
【００５０】
そして、この第４の実施形態においては、紫外線照射部材８の配置が第１の実施形態と異なっている。すなわち、この第４の実施形態では、図５に示すように管状または棒状、あるいは長板状の紫外線照射部材８が、その長軸方向または長辺方向の両端部を、トラフ本体１内の処理水中に浸漬させて配設されている。ここで、この第４の実施形態における紫外線照射部材８も、図示は略するが照射部材本体８ａが保護管８ｂによって覆われたものであり、電源接続部８ｃは一端部だけにあっても、両端部にあってもよく、さらに防水構造とされている。
【００５１】
また、本実施形態では、図５（ａ）に示すようにトラフ本体１の集水部１Ａと排水部１Ｂとに、それぞれ複数の紫外線照射部材８が、その長軸方向または長辺方向をトラフ本体１の長手方向に向けるとともに、トラフ本体１の幅方向に並ぶようにして配設されるとともに、図５（ｃ）および（ｄ）に示すように迂流回路７には、その下向流部７Ａに、やはり複数の紫外線照射部材８が、その長軸方向または長辺方向をトラフ本体１の幅方向に向けて、上下方向に並ぶように配設されている。
【００５２】
このような第４の実施形態の集水トラフおよび該集水トラフを備えた浄水設備においても、処理水は迂流回路７において下向流部７Ａと上向流部７Ｂとのうち少なくとも一方（本実施形態では下向流部７Ａ）に取り付けられた紫外線照射部材８によって殺菌処理されるので、紫外線の減衰を抑えることができるとともに、迂流回路７を通過する処理水の全量に満遍なく紫外線を照射して確実な殺菌を行うことができる。
【００５３】
また、本実施形態では、トラフ本体１の迂流回路７以外の集水部１Ａと排水部１Ｂとにも紫外線照射部材８が備えられているので、さらに確実な処理水の殺菌を図ることができる。特に、これら集水部１Ａと排水部１Ｂに設けられた紫外線照射部材８は、その長軸方向または長辺方向を処理水が流れるトラフ本体１の長手方向に向けて取り付けられているので、集水部１Ａおよび排水部１Ｂを処理水が流れる間に、より長く紫外線を照射して一層確実な殺菌を行うことが可能となる。
【符号の説明】
【００５４】
１  トラフ本体
１Ａ  集水部
１Ｂ  排水部
１Ｃ  樋状部
２  側壁部
２ａ  集水口
３Ａ  トラフ本体１の長手方向一端側の端壁部
３Ｂ  トラフ本体１の長手方向他端側の端壁部
３ａ  排水口
４  底板部
５  仕切り壁
６  堰板壁
７  迂流回路
７Ａ  下向流部
７Ｂ  上向流部
８  紫外線照射部材
Ｐ  浄水設備の沈殿池における浄水流出部
Ｑ  排水路
Ｗ  浄水流出部Ｐの壁部
【図１】
2019005694.tif 000003
【図２】
2019005694.tif 000004
【図３】
2019005694.tif 000005
【図４】
2019005694.tif 000006
【図５】
2019005694.tif 000007